(57)【要約】【課題】画面を縮小して表示する場合でも、視認性を確保できる車両用表示装置を提供すること。【解決手段】車両情報を表示する画像表示装置１と、画像表示装置１に表示される表示画像を制御する制御手段３とを備え、画像表示装置１は、少なくとも表示画像として目盛部を備えた指標部１１とその指標部１１を指示する指針部１２とからなるアナログ式計器画像１０ａを表示し、制御手段３は、指針部１２の長さがその回転移動に伴って変化すると共に指針部１２の長さが変化しても指針部１２と指標部１１とが重なるようにアナログ式計器画像１０ａを変形させた変形画像を表示させてなる車両用表示装置において、制御手段３は変形画像を表示させる際に指針部１２の横幅を指針部１２の長さに反比例するように太く変化させる。【選択図】図２
2010277015.tif 000002
【特許請求の範囲】
【請求項１】
車両情報を表示する画像表示装置と、前記画像表示装置に表示される表示画像を制御する制御手段とを備え、前記画像表示装置は、少なくとも前記表示画像として目盛部を備えた指標部とその指標部を指示する指針部とからなるアナログ式計器画像を表示し、前記制御手段は、前記指針部の長さがその回転移動に伴って変化すると共に前記指針部の長さが変化しても前記指針部と前記指標部とが重なるように前記アナログ式計器画像を変形させた変形画像を表示させてなる車両用表示装置において、前記制御手段は前記変形画像を表示させる際に前記指針部の横幅を前記指針部の長さに反比例するように太く変化させることを特徴とすることを特徴とする車両用表示装置。
【発明の詳細な説明】
【技術分野】
【０００１】
本発明は、例えば車両に搭載され、液晶表示パネル等の画像表示装置に、指標部とこの指標部を回動指示する指針部とでなるアナログ式計器画像にて車両情報を表示する車両用表示装置に関し、特にアナログ式計器画像を縮小して表示するものに関する。
【背景技術】
【０００２】
車速、エンジン回転数、水温、油圧等の様々な車両に関する情報（以下、車両情報という）を表示する車両用表示装置においては、例えば特許文献１に開示されるように、液晶表示パネルなどを使ったフラットパネルディスプレイにアナログ式計器画像を含む様々な車両情報を表示させて、その表示を任意に変更可能にしたものがある。
【０００３】
この車両用表示装置は、アナログ式計器画像と他の車両情報（画像）を同時に表示する場合、アナログ式計器画像を縮小し、この縮小に応じて形成される表示スペースに他の車両情報を表示するものである。
【先行技術文献】
【特許文献】
【０００４】
【特許文献１】特開２００４−１８２０９２号公報
【発明の概要】
【発明が解決しようとする課題】
【０００５】
しかしながら、前記特許文献１に記載の車両用表示装置は、アナログ式計器画像を縮小する際、縦方向よりも横方向の縮小率を大きくしているため、横幅が小さく縦幅が大きい長円形となり、これに伴って指針の長さや指標部の間隔も変化し、特に指針が横方向を指示する際、指針の長さが短くなることに加え、指標部の大きさや間隔も小さくなるため、計測値を視認しづらく、運転者に違和感を与えてしまう原因となる虞があった。
【０００６】
そこで本発明は、このような点に鑑みなされたもので、画面を縮小して表示する場合でも読み取り性を向上させ、計測値を視認しやすい車両用表示装置を提供する。
【課題を解決するための手段】
【０００７】
本発明は前記課題を解決するため、車両情報を表示する画像表示装置と、前記画像表示装置に表示される表示画像を制御する制御手段とを備え、前記画像表示装置は、少なくとも前記表示画像として目盛部を備えた指標部とその指標部を指示する指針部とからなるアナログ式計器画像を表示し、前記制御手段は、前記指針部の長さがその回転移動に伴って変化すると共に前記指針部の長さが変化しても前記指針部と前記指標部とが重なるように前記アナログ式計器画像を変形させた変形画像を表示させてなる車両用表示装置において、前記制御手段は前記変形画像を表示させる際に前記指針部の横幅を前記指針部の長さに反比例するように太く変化させることを特徴とする。
【発明の効果】
【０００８】
本発明は、画面を縮小して表示する場合でも読み取り性を向上させ、計測値を視認しやすい車両用表示装置を提供することが可能となる。
【図面の簡単な説明】
【０００９】
【図１】本発明の一実施形態である車両用表示装置の電気的構成を示す図。
【図２】同実施形態の車両用表示装置による表示画像を示す正面図。
【図３】同実施形態によるアナログ式計器画像の推移を示す正面図。
【図４】変形例となるアナログ式計器画像の推移を示す正面図。
【発明を実施するための最良の形態】
【００１０】
以下、本発明を適用した一実施形態を添付図面に基づいて説明する。
【００１１】
図１において、本発明の一実施形態による車両用表示装置は、画像表示装置１と、入力手段２と、制御手段３とから主に構成されている。
【００１２】
画像表示装置１は、図２及び図３で示すように、液晶表示（ＬＣＤ）パネルやＥＬパネルあるいはプラズマディスプレイ等のフラットパネルディスプレイからなるものである。また画像表示装置１は、本実施形態においては、後述するアナログ式計器画像と、このアナログ式計器画像とは異なる他の車両情報としてのグラフィック表示画像とを表示可能なものである。
【００１３】
入力手段２は、車両状態を検出して状態信号を制御手段に出力する車両情報検出手段からなり、本実施形態では、例えば車両情報を検出する各種センサや車両側ＥＣＵからなる。
【００１４】
制御手段３は、ＣＰＵ，ＲＯＭ，ＲＡＭ及び入出力インターフェイス等を備えたマイクロコンピュータから構成される。制御手段３は、入力手段２から状態信号を入力し、前記アナログ式計器画像と前記グラフィック表示画像とを表示させるものである。また、制御手段３は、入力手段２から状態信号やユーザーのスイッチ操作等に基づいて所定の切替条件が成立したか否かを判定し、切換条件が成立した場合は、前記アナログ式計器画像と前記グラフィック表示画像の各画像サイズ及び表示レイアウトを変更する機能を有している。
【００１５】
次に図２及び図３に基づきアナログ式計器画像１０ａについて説明する。
【００１６】
アナログ式計器画像１０ａは、指標部１１と、指針部１２と、背景部１３とからなる。
【００１７】
指標部１１は、例えばプラスチック板に例えばスクリーン印刷を施すことによって設けられた実体文字板の、目盛や文字、数字等の指標部を模した画像でなる。背景部１３は、前記実体文字板の地色部（背景部）を模した画像でなる。
【００１８】
指針部１２も例えばプラスチック材に着色被膜を形成してなる実体指針を模した画像でなり、車速の変化に応じて回動移動し、指標部１１を指示することで車速を指示する。
【００１９】
グラフィック表示画像１０ｂは、アナログ式計器画像１０ａ以外の車両情報を画像表示するものであって、例えば警告情報やナビ情報などを表示する。本実施形態では、２つのアナログ式計器画像１０ａに挟まれるようにして、フラットパネルディスプレイ１のほぼ中央に表示される（図２のａ参照）。
【００２０】
制御手段３は切替条件が成立したと判断すると、グラフィック表示画像１０ｂは左右に拡大されて表示される。それに伴って、両側に表示されているアナログ式計器画像１０ａの横幅が縮小され、長円形状のアナログ式計器画像１０ａとして表示される（図２のｂ及びｃ参照）。
【００２１】
指標部１１は、アナログ式画像表示部１０ａが縮小するのに伴って、指針部１２の長さが変化しても指針部１２と指標部１１とが重なるように、その形状を変化させる（図２のｂ及びｃ参照）。
【００２２】
このとき、指針部１２の長さは、その回転に伴って、図３（ａ）から（ｄ）に示すように、指針部１２が長いものから短いものへ、短いものから長いものへと変化する。
【００２３】
また、指針部１２は、指針部１２の長さが変化するのに伴って、指針部１２の横幅（長手方向に対し直交する方向の幅）を指針部１２の長さに反比例するように太く変化させることで、指針部１２が長く表示される場合は細く、指針部１２が短く表示される場合は太く表示される。
【００２４】
また、図４に示すように、アナログ式計器画像１０ａの形状は円形に限らず、例えば四角形などを用いてもいいが、その場合の指針部１２の形状は第１の実施例と同様に指針部１２の先端が指標部１１と重なり、指針部１２の横幅を指針部１２の長さに反比例するように太く変化させる。
【００２５】
以上のように、本実施形態では、車両情報を表示する画像表示装置１と、画像表示装置１に表示される表示画像を制御する制御手段３とを備え、画像表示装置１は、少なくとも表示画像として目盛部を備えた指標部１１とその指標部１１を指示する指針部１２とからなるアナログ式計器画像１０ａを表示し、制御手段３は、指針部１２の長さがその回転移動に伴って変化すると共に指針部１２の長さが変化しても指針部１２と指標部１１とが重なるようにアナログ式計器画像１０ａを変形させた変形画像を表示させてなる車両用表示装置において、制御手段３は変形画像を表示させる際に指針部１２の横幅を指針部１２の長さに反比例するように太く変化させることより、指針部１２を強調させることで指針部１２が指示する情報を容易に認識することが可能となる。
【００２６】
また、本発明の変形例として、指針部１２に中抜きを設けたり、またアナログ式計器画像１０ａの外周縁から中心に向けて指針部１２を設けるなどの方法も考えられるが、その場合も指針部１２の形状は第１の実施例と同様に、指針部１２の横幅を指針部１２の長さに反比例するように太く変化させればよい。
【符号の説明】
【００２７】
１      画像表示装置
２      入力手段
３      制御手段
１０ａ  アナログ式画像表示部
１０ｂ  その他の画像表示部
１１    指標部
１２    指針部
１３    背景部
【図１】
2010277015.tif 000003
【図２】
2010277015.tif 000004
【図３】
2010277015.tif 000005
【図４】
2010277015.tif 000006